(57)【特許請求の範囲】
【請求項１】
複数階からなる建築物の床スラブに形成された細長い床開口部を貫通するようにＰＣ板を挿入して位置決めすることにより、このＰＣ板を使用した壁を前記床スラブより優先させた状態で前記床スラブに設け、
前記壁には前記床スラブの少なくとも近傍まで至るような壁開口を形成したことを特徴とする建築物におけるＰＣ板を使用した壁。
【請求項２】
前記ＰＣ板は、階高とほぼ同じ高さ寸法を有し、上下階の前記床スラブによって区画された壁面区画に設けられ、
前記ＰＣ板は、前記床開口部を貫通した状態で横方向に延びてこの床開口部の位置に配置される基部と、前記壁開口を形成するように縦方向に延びて前記基部に設けられた少なくとも二つの枠とを有していることを特徴とする請求項１に記載の建築物におけるＰＣ板を使用した壁。
【請求項３】
前記ＰＣ板の上方の前記基部には、少なくとも一つの突出部が上方に突出して一体形成されており、
前記ＰＣ板の前記突出部は、上の階に配置される前記ＰＣ板の前記枠の下端面と対向して配置されていることを特徴とする請求項２に記載の建築物におけるＰＣ板を使用した壁。
【請求項４】
前記ＰＣ板は互いに接合可能な複数のＰＣ板ピースに分割されるとともに、前記基部を構成するＰＣ板ピースはそれぞれ前記床スラブの前記床開口部を貫通するようになっていることを特徴とする請求項２，３のいずれかに記載の建築物におけるＰＣ板を使用した壁。
【請求項５】
前記ＰＣ板の前記基部には、前記床スラブに対応する高さ位置に複数の貫通孔を形成し、この貫通孔に継手部材を貫通させて配置することにより、前記壁により分断されていた前記床スラブの一体性を確保するようにしたことを特徴とする請求項２，３，４のいずれかに記載の建築物におけるＰＣ板を使用した壁。
【請求項６】
複数階からなる建築物の床スラブに細長い床開口部を形成した後、この床開口部を貫通するようにＰＣ板を挿入して位置決めすることにより、
このＰＣ板を使用した壁を、前記床スラブより優先させた状態で前記床スラブに設け、
前記壁には前記床スラブの少なくとも近傍まで至るような壁開口を形成することを特徴とする建築物におけるＰＣ板を使用した壁の施工方法。
【発明の詳細な説明】
【０００１】
【発明の属する技術分野】
本発明は、複数階からなる集合住宅など建築物におけるＰＣ板を使用した壁およびその施工方法に関する。
【０００２】
【従来の技術】
図１３は、従来技術を示す集合住宅の一部の正面断面図、図１４は、他の従来技術を示す集合住宅の一部の正面断面図で、図１３相当図である。
図１３および図１４に示すように、集合住宅１など建築物には、梁下ではなく上下階の床スラブ２と床スラブ２との間にコンクリート壁３，３ａを設ける場合が多い。コンクリート壁３，３ａには、窓や出入口用扉などを設けるための開口４，５，６が形成されている。
コンクリート壁３，３ａをＰＣ板７，７ａで構築すれば現場施工が容易になるので、近年はＰＣ板７，７ａがコンクリート壁３，３ａに広く使用されている。ＰＣ板（または、ＰＣａ板）は、版状のプレキャストコンクリート製品のことである。開口４，５，６を有するＰＣ板７，７ａが、建築物の躯体により形成される壁面区画に取付けられることになる。
【０００３】
この場合、床スラブ２は、自重，積載荷重などの常時鉛直荷重が作用する構造耐力部材の一部であり、一方、ＰＣ板７，７ａは非耐力壁である。したがって、従来からの構造設計の常識に従って、床スラブ２を優先させた状態でＰＣ板７，７ａが床スラブ２に取付けられている。
ここで「一つの部材が優先する」とは、複数（たとえば、二つ）の部材が接合等されている場合に、複数の部材のうち前記一つの部材が、接合部等で切れることなくずっと繋がっていることを意味している。
コンクリート壁３が建築物の外壁である場合、室内空間の開放性を向上させて眺望などを良好にするには、開口４，５，６を縦方向（上下方向）に大きくする必要がある。
【０００４】
【発明が解決しようとする課題】
ところが、図１３に示すように、一つの壁面区画に取付けられてコンクリート壁３を構成するＰＣ板７を一枚物とする場合、開口４，５，６が縦方向に大きいと、開口４，５，６の上方の部位８と下方の部位９は、その高さ寸法ｄ1, ｄ2が小さくなるので断面積も小さくなってしまう。
その結果、ＰＣ板７の剛性（強度）が低下して、ＰＣ板７を一枚物として取り扱うことができなくなって事実上製造が不可能になり、また、ＰＣ板７の製造，運搬，現場施工時に損傷などが発生しやすいという課題があった。
そこで、図１４に示す他の従来技術では、コンクリート壁３ａに使用されるＰＣ板７ａは、大きな開口４，５，６の上下，左右などの部位を構成する複数（たとえば、７個）のＰＣ板ピース９ａ〜９ｇに分割されている。
しかしながら、図１３に示す一枚物のＰＣ板７と比較すると分かるように、ＰＣ板７ａを複数のＰＣ板ピース９ａ〜９ｇに細分化すると、その製造，運搬などが面倒であり、また、現場施工時の取付けおよび接合作業が繁雑であった。
しかも、ＰＣ板ピースどうしの接合部分が多いので、防水性能が低下する恐れがあった。また、コンクリート壁３ａの上部，下部でかつ横方向（水平方向）に配置されるＰＣ板ピース９ｂ、９ｃ，９ｅ，９ｆは、特にその断面積が小さいので剛性が低かった。
【０００５】
本発明は、このような課題を解決するためになされたもので、ＰＣ板の設計，製造，運搬および現場施工が容易で、また、ＰＣ板を使用した壁に形成され窓などを設けるための壁開口を、床スラブの少なくとも近傍まで至るように大きく形成して、室内空間の開放性を向上させることができる建築物におけるＰＣ板を使用した壁およびその施工方法を提供することを目的とする。
【０００６】
【課題を解決するための手段】
建築物の構造設計において、建築物の自重，積載荷重などの鉛直荷重、または地震力などの水平力を支持する構造部材（骨組構造を構成する柱，梁，耐震壁など、床スラブなどの二次的構造躯体）である耐力部材に、鉛直荷重や地震力を支持しない非耐力部材を設ける場合には、非耐力部材より耐力部材を優先させるべきであるというのが、従来からの技術的な常識である。
したがって、ＰＣ板を使用した壁（たとえば、外壁）が、空間を仕切る機能のみを有する非耐力壁である場合には、従来は、耐力部材である床スラブを壁より優先させた状態で、ＰＣ板を床スラブに設けていた。
床スラブは、床平面の周囲が梁，柱，壁などの構造躯体に支持された床スラブ構造体を構成する。床面に作用する自重，積載荷重などの常時鉛直荷重や地震時のせん断力（水平力）は、床スラブを介して、周囲の梁，柱，壁などの構造躯体に伝達される。
【０００７】
床スラブは耐力部材であるので、従来から、床スラブにはダクトや配管などを通すための小さな開口部が貫通形成されることが多いが、壁であるＰＣ板の横断面に相当する細長い床開口部を床スラブに設けることはなかった。
ところで、床スラブの工法を適切に選択し、床スラブに作用する常時鉛直荷重および地震時のせん断力を周囲の梁，柱，壁などの構造躯体に伝達することができる強度，剛性を有するように床スラブを構成すれば、非耐力壁であるＰＣ板を貫通させるための細長い床開口部を設けても、床スラブの強度，剛性などの構造的機能を健全に維持することができる。
本発明では、非耐力壁と床スラブとの接合部において、非耐力部材を耐力部材より優先させた状態で耐力部材に設けるという発想の転換の下で、非耐力壁を構成するＰＣ板を、耐力部材である床スラブの細長い床開口部を貫通させた状態で配置して床スラブに取付けている。
【０００８】
上述の目的を達成するため、本発明にかかる建築物におけるＰＣ板を使用した壁は、複数階からなる建築物の床スラブに形成された細長い床開口部を貫通するようにＰＣ板を挿入して位置決めすることにより、このＰＣ板を使用した壁を前記床スラブより優先させた状態で前記床スラブに設け、前記壁には前記床スラブの少なくとも近傍まで至るような壁開口を形成している。
好ましい実施態様として、前記ＰＣ板は、階高とほぼ同じ高さ寸法を有し、上下階の前記床スラブによって区画された壁面区画に設けられ、前記ＰＣ板は、前記床開口部を貫通した状態で横方向に延びてこの床開口部の位置に配置される基部と、前記壁開口を形成するように縦方向に延びて前記基部に設けられた少なくとも二つの枠とを有している。
前記ＰＣ板の上方の前記基部には、少なくとも一つの突出部が上方に突出して一体形成されており、前記ＰＣ板の前記突出部は、上の階に配置される前記ＰＣ板の前記枠の下端面と対向して配置されているのが好ましい。
前記ＰＣ板は、互いに接合可能な複数のＰＣ板ピースに分割されるとともに、前記基部を構成するＰＣ板ピースは、それぞれ前記床スラブの前記床開口部を貫通するようになっている場合でもよい。
前記ＰＣ板の前記基部には、前記床スラブに対応する高さ位置に複数の貫通孔を形成し、この貫通孔に継手部材を貫通させて配置することにより、前記壁により分断されていた前記床スラブの一体性を確保するように構成するのが好ましい。
本発明にかかる建築物におけるＰＣ板を使用した壁の施工方法は、複数階からなる建築物の床スラブに細長い床開口部を形成した後、この床開口部を貫通するようにＰＣ板を挿入して位置決めすることにより、このＰＣ板を使用した壁を、前記床スラブより優先させた状態で前記床スラブに設け、前記壁には前記床スラブの少なくとも近傍まで至るような壁開口を形成する。
【０００９】
【発明の実施の形態】
以下、本発明にかかる実施の形態の一例を、図１ないし図１２を参照して説明する。
（第１の実施形態）
図１ないし図６は本発明の第１の実施形態を示す図である。図１は集合住宅の平面図、図２は図１の部分拡大平面図で、図２（Ａ）は前記集合住宅の平面図、図２（Ｂ）は、外壁を取付ける前の状態を示す部分平面図である。
図３は図２（Ａ）のIII−III線断面図、図４は図２（Ａ）のIV−IV線正面断面図、図５（Ａ）は図４のＶ−Ｖ線断面図、図５（Ｂ）〜（Ｄ）は図５（Ａ）相当図で各種変形例を示している。
【００１０】
図１ないし図４に示すように、集合住宅１０の基準階の平面形式は、片廊下方式が用いられ、一つの共用廊下１９に接して複数の住戸空間１５を配置し、各住戸空間１５を戸境壁１６で区画し、さらに各住戸空間１５にバルコニー２０を付設する。
この平面形式の骨組構造体は、桁行方向（長手方向）では、対向して配置された二つのラーメン骨組を構成し、はり間方向（短手方向 ）では、各住戸空間１５間の戸境壁１６を利用した鉄筋コンクリート造（ＲＣ造）の耐震壁が配設された耐震壁構造を構成している。
桁行方向のラーメン骨組は、所定のスパン長さで配置された複数の柱１１と、水平方向に架設された一対の梁１３，１３とによって構成されている。柱１１は、共用廊下１９とバルコニー２０の外縁部に沿って、桁行方向に所定のスパン長さで配置されている。
【００１１】
非耐力壁とは、鉛直荷重，地震力などの外力に対し、骨組構造体の耐力に構造設計上有効とされない壁を言い、外壁，間仕切り壁（建物内の空間を仕切る壁）などとして配置される。
耐力壁とは、鉛直荷重，地震力などの外力に抵抗させることを目的として骨組構造体の一部として設けられる壁体を言う。特に、地震力に抵抗させることを目的とした場合は耐震壁と言う。
骨組構造体とは、柱，梁などの構造部材、耐震壁，壁ブレーズ，制振壁などの耐震構造部材を組み合わせた架構で構成され、建物の自重等の鉛直荷重，地震力などの外力に対して構造設計上抵抗し得る構造体を言う。
【００１２】
一つの住戸空間１５は、上下の床スラブ１４と、はり間方向の戸境壁１６と、廊下側の外壁１７と、バルコニー側の外壁１８により区画されている。外壁１７の外部床面は共用廊下１９になっており、外壁１８の外部床面はバルコニー２０になっている。
戸境壁１６は、鉄筋コンクリート造の耐力壁であり、梁１２の断面の上辺および下辺に一体的に固定されている。戸境壁１６の両端部には、それぞれ補強用の枠柱２１が、上下の梁１２の間に縦方向に設けられている。なお、枠柱２１がない場合であってもよい（図１１）。
本実施形態の壁１８は、複数階からなる建築物の床スラブ１４に形成された細長い床開口部３４を貫通するようにＰＣ板３０を挿入して位置決めすることにより、このＰＣ板３０を使用した壁１８を床スラブ１４より優先させた状態で床スラブ１４に設けたことによって構成される。
【００１３】
以下、本発明における壁１８を、複数階を有する建築物のバルコニー２０側の外壁１８に適用する場合について説明する。
床スラブ１４は、床面に作用する自重，積載荷重などの常時鉛直荷重を受ける板状の耐力部材を言う。床スラブ１４は多種多様の工法を採用することができる。床スラブ１４の構造種別は、鉄筋コンクリート造，鋼製床，鋼製のデッキプレートの上にコンクリートを打設した合成床などが使用される。
床スラブ１４を鉄筋コンクリート造とする場合は、スラブ厚さの全断面を現場打ちコンクリート造、ＰＣ板としてもよく、または、ＰＣ鋼材によってプレストレスを導入したプレストレス構造としてもよい。
本実施形態の床スラブ１４は、床用半ＰＣ板４０の上部に現場打ちコンクリート４１を打設して一体化したことにより構成されている（図５（Ａ））。床スラブ１４は、床平面の周囲が桁行方向の梁１３、はり間方向の梁１２に支持された、大スパンの一枚物の状態（床平面の内部に小梁がない状態）で設けられている。なお、床平面の内部に小梁を設けた床スラブ１４としてもよい。
【００１４】
床スラブ１４には、細長い床開口部３４が貫通した状態で形成されている。床開口部３４は、バルコニー２０側に位置する枠柱２１，２１の間に形成されている（図２（Ｂ））。
そして、ＰＣ板３０を、床開口部３４を貫通するように挿入して位置決めすることにより、ＰＣ板３０を使用した外壁１８を、床スラブ１４より優先させた状態で床スラブ１４に設けている（図２（Ａ））。
外壁１８を、床スラブ１４より「優先させた状態」とは、縦方向に配置された外壁１８と、横方向に架設された床スラブ１４とが交差する接合部で、外壁１８の断面を切断することなく連続して貫通させ、床スラブ１４の断面を外壁１８の両側で切断することを言う。
外壁１８と床スラブ１４の交差する接合部において、外壁１８は、その横方向（図２では、桁行方向に該当する）の全範囲において優先するのが好ましい。しかし、外壁１８を横方向の支配的な範囲で優先すればよく、一部の範囲で床スラブ１４を優先させた複合構造としてもよい。「支配的な範囲」とは、たとえば、ＰＣ板３０の基部４４（後述する）で壁開口３１，３２，３３の上部であって、床下部分の寸法ｄ3bが小さい範囲を言う。
【００１５】
ＰＣ板３０を使用した外壁１８は、床スラブ１４より優先させた状態で床スラブ１４に設けられている。外壁１８を非耐力壁とする場合は、外壁１８と床スラブ１４とが交差する接合部を、床スラブ１４からの鉛直荷重および水平力を伝達できる力学的構造とする必要はない。この接合部は、外壁１８自体の自重や風圧力に耐えうる程度の簡易な接合方法でよい。
床開口部３４の水平平面形状は、床開口部３４を貫通する外壁１８（ＰＣ板３０）の水平断面形状（壁厚、横方向の長さ）に合わせて形成される。床開口部３４の内辺とＰＣ板３０の外辺との間には、施工に必要な隙間（クリアランス）を設けるのが好ましい。
ＰＣ板３０と床スラブ１４の間の隙間にはコーキング材などを詰めることにより、気密性および水密性を確保して、隙間から音や水などが漏洩するのを防止している。
【００１６】
本実施形態の外壁１８は、非耐力壁であるＰＣ板３０を使用したバルコニー２０側の外壁として形成されている。外壁１８は、住戸空間１５の壁面区画３６を塞ぐ外壁として形成され、上下階の床スラブ１４に取り付けられる。
各階の壁面区画３６は、上下階の床スラブ１４によって区画される平面で形成される。図２では、壁面区画３６は、所定の間隔で対向させて配設されている二本の枠柱２１の間と、上下階の床スラブ１４とによって区画された、１スパン，１階分に相当する壁面で形成されている。
外壁面に枠柱２１または柱を配置しない場合は、壁面区画３６は、壁面の横方向（図２では、桁行方向）に連続した平面として形成され、壁面区画３６内において所定の横方向長さを有する複数の外壁１８，１８どうしが直接連結される。
【００１７】
ＰＣ板３０により構成されている外壁１８には、床スラブ１４の断面の上下端の少なくとも近傍まで（すなわち、床スラブ１４の近傍まで、または床スラブ１４まで）至るような壁開口３１，３２，３３が形成されている。壁開口３１，３２，３３には、サッシ窓や出入口用扉などが設けられている。
ＰＣ板３０は、階高Ｈとほぼ同じ高さ寸法Ｈａを有し、上下階の床スラブ１４によって区画された壁面区画３６に設けられて外壁１８を構成する。ＰＣ板３０の正面形状は、横方向の長さ寸法Ｌを有して全体がほぼ矩形状に構成され、上端面４３が水平に配置されるようになっている。
ＰＣ板３０は、床開口部３４を貫通した状態で横方向に延びて、この床開口部３４の位置に配置される基部４４と、壁開口３１，３２，３３を形成するように縦方向に延びて基部４４に設けられた少なくとも二つ（本実施形態では、三つ）の枠５３，５４，５５とを有している。枠５３，５４，５５は、基部４４に一体的に設けられているが別体であってもよい。
ＰＣ板３０は、予め型枠に打ち込んで製造したコンクリート板で、プレキャストコンクリートパネルと言う。ＰＣ板３０は、所定の板厚さを有する板状（パネル）の部材として形成され、その正面形状は、壁面区画３６，壁開口３１，３２，３３に合わせて任意に形成することができる。
【００１８】
ＰＣ板３０における壁開口３１，３２，３３より上方の基部４４は、ＰＣ板３０の上端面４３と壁開口３１，３２，３３との間の部位である。基部４４の高さ寸法ｄ3は、床上部分の寸法ｄ3aと、床下部分の寸法ｄ3bと、床スラブ１４の床厚み寸法ｄ3cの合計寸法である。
基部４４の高さ寸法ｄ3は、従来のコンクリート壁における対応する部位の高さ寸法ｄ1（図１３，図１４）と比べて、（ｄ3a＋ｄ3c）に相当する寸法だけ大きいので、基部４４の断面積が大きくなっている。
これにより、ＰＣ板３０の全体の剛性が向上するので、ＰＣ板３０が一枚物であっても損傷などを防止することができる。その結果、一枚物のＰＣ板３０で外壁１８を構成することができ、ＰＣ板３０の設計，製造，運搬および現場施工が容易になり、工期も短縮する。
なお、ＰＣ板３０の運搬など取扱い時には、ＰＣ板３０の下端面４５側を仮設の形鋼などで補強すれば、ＰＣ板３０の損傷防止の点で好ましい。
【００１９】
ＰＣ板３０は、その上端面４３が床上部分の所定寸法ｄ3aだけ床スラブ１４より上方に位置するように、位置決めされる。ＰＣ板３０の上端面４３上に、上の階のＰＣ板３０の下端面４５が対向するように配置される。上下のＰＣ板３０どうしの接合部Ｅの位置が床スラブ１４より高い位置なので、防水性能が向上する。
また、壁開口３１，３２，３３の上端部の高さ位置と、床スラブ１４の下面の位置との間が、床下部分の寸法ｄ3bに相当している。床近くの所定寸法ｄ3aと、天井近くの床下部分の寸法ｄ3bを小さく（または、ほぼ零に）すれば、壁開口３１，３２，３３を縦方向に大きくすることができる。
したがって、壁開口３１，３２，３３に大きな窓などを設けて、室内空間の開放性（たとえば、室内の採光，日照，通風，換気，展望および眺望）を向上させることができる。
【００２０】
ＰＣ板３０を挿入するための細長い床開口部３４を床スラブ１４に形成したので、床スラブ１４が外壁１８を境にして、室内と室外に分断される。そこで、図４および図５（Ａ）に示すように、ＰＣ板３０の基部４４には、床スラブ１４に対応する高さ位置に複数の貫通孔３７が並んで形成されている。
貫通孔３７は断面がほぼ矩形状をなしており、一つの貫通孔３７には一本または複数本の継手部材が貫通可能になっている。この継手部材として、鉄筋３８（本実施形態），鉄骨，ワイヤーメッシュなどが使用される。貫通孔３７に鉄筋３８を貫通させて配筋することにより、外壁１８により分断されていた床スラブ１４の一体性を確保するようにしている。
【００２１】
ＰＣ板３０を使用した外壁１８を現場施工する手順としては、まず最初に、集合住宅１０の床スラブ１４に細長い床開口部３４を形成する。これは、たとえば、あらかじめ床開口部３４が形成された床用半ＰＣ板４０を設置するか、または、床用ＰＣ板４０の設置後に床開口部３４を形成する。
その後、床開口部３４を貫通するようにＰＣ板３０を挿入する。このとき、ＰＣ板３０の貫通孔３７の位置が鉄筋３８の配筋予定位置にほぼ一致するように、ＰＣ板３０を所定位置に位置決めする。次いで、床スラブ１４の鉄筋３８を、貫通孔３７を貫通させた状態で配筋した後、床用半ＰＣ板４０の上に現場打ちコンクリート４１を打設する。
このようにすれば、ＰＣ板３０を使用した外壁１８を、床スラブ１４より優先させた状態で床スラブ１４に設けることができる。分断されていた床スラブ１４の一体性は、貫通孔３７を貫通して配筋された鉄筋３８を介して確保されるとともに、床スラブ１４とＰＣ板３０も一体化して、接合部の強度が向上する。
【００２２】
図６（Ａ）は、図５相当図で他の変形例を示す断面図、図６（Ｂ）は図６（Ａ）のＢ−Ｂ線断面図である。
図６（Ａ），（Ｂ）に示す変形例では、外壁１８により分断されていた床スラブ１４の一体性を確保するための継手部材３８として、所定長さの接合用鉄筋が使用されている。
この場合、外壁１８を構成するＰＣ板３０ａの基部４４には、床スラブ１４に対応する高さ位置に、複数の小さな断面円形（または、所定形状）の貫通孔３７ａが並んで形成され、貫通孔３７ａには継手部材３８が一本ずつ貫通して配筋されている。
これにより、分断されていた床スラブ１４の一体性が、貫通孔３７ａを貫通して配筋された継手部材３８を介して確保されるとともに、床スラブ１４とＰＣ板３０ａも一体化して、接合部の強度が向上する。
なお、ＰＣ板３０ａを使用した外壁１８を現場施工する手順は、上述の手順と同様である。
【００２３】
図５および図６に示すように、外壁１８により分断されていた床スラブ１４の一体性を、継手部材３８により確保することができるので、床スラブ１４は全体として所望の剛性（強度）を確保することができる。
なお、貫通孔３７，３７ａを設ける代わりに、あらかじめＰＣ板に継手部材３８を固定する場合であってもよい。
【００２４】
図５（Ｂ），（Ｃ）に示すように、外壁１８で仕切られた床スラブ１４は、外壁１８の両側では、床高さ位置および床厚み寸法のうち一方または両方が異なっていてもよい。
たとえば、外壁１８を境とする室内の床と室外の床に段差を設ける場合があり、住戸空間１５（室内）の床高さ位置Ｈ1に対して、バルコニー２０（室外）の床高さ位置Ｈ2を低くしている。これにより、雨水などが室内に浸入する恐れがなくなる。
別の例として、住戸空間１５における床スラブ１４の厚み寸法Ｔ1より、バルコニー２０の床スラブ１４の厚み寸法Ｔ2の方を大きくしている。これにより、バルコニー２０における床スラブ１４の許容荷重を大きくすることができる。
図５（Ｄ）に示すように、たとえば、バルコニー２０の床スラブ１４における現場打ちコンクリート４１は中空部のない無垢材とし、住戸空間１５の床スラブ１４は、その内部に中空部４２を有する中空スラブ（ボイドスラブ）としてもよい。このようにすれば、住戸空間１５の床スラブ１４を軽量化することができる。
このように、ＰＣ板が使用される壁を設ける床スラブ１４は、細長い床開口部３４を形成しても所定の剛性を維持するものであれば、どのような構造であってもよい。
【００２５】
（第２ないし第６の実施形態）
図７は第２の実施形態を示す図で、図４相当の正面断面図である。なお、以下の各実施形態において、第１の実施形態と同一または相当部分には同一符号を付してその説明を省略し、異なる部分のみ説明する。
外壁１８により分断されていた床スラブ１４の一体性を、鉄筋など継手部材により確保しなくても、床スラブ１４が充分な剛性を有している場合には、図７に示すように、外壁１８を挟んだ一方の床スラブ１４と他方の床スラブ１４を、構造的に縁を切ってもよい。この場合には、外壁１８を構成するＰＣ板３０ｂには、継手部材を貫通させるための貫通孔を形成する必要がない。この構成以外は、第１の実施形態と同じである。
一枚物のＰＣ板３０ｂは、複数の貫通孔を形成しなくてもよいので構成が簡略化することになり、製造が容易になる。また、貫通孔に継手部材を通す作業が不要なので、現場施工が容易になる。
【００２６】
図８は第３の実施形態を示す図で、図４相当の正面断面図である。
図８に示す一枚物のＰＣ板３０ｃの上方の基部４４ｃにおいて、その上端面４３ｃには、少なくとも一つ（本実施形態では、３個）の矩形状（または、所定形状）の突出部５０，５１，５２が上方に突出して一体形成されている。
ＰＣ板３０ｃは、床開口部３４を貫通した状態で横方向に延びて床開口部３４の位置に配置される上方の基部４４ｃと、壁開口３１，３２，３３を形成するように縦方向に延びて基部４４ｃに一体的に設けられた枠５３，５４，５５とを有している。突出部５０，５１，５２は、枠５３，５４，５５の直上位置にそれぞれ配置されている。
したがって、ＰＣ板３０ｃの突出部５０，５１，５２は、上の階に配置されるＰＣ板３０ｃの枠５３，５４，５５の下端面４５と対向して配置されることになる。その結果、ＰＣ板３０ｃは、上の階に配置されるＰＣ板３０ｃを支持することができる。
このようにすれば、ＰＣ板３０ｃの基部４４ｃが突出部５０，５１，５２により補強されるので、ＰＣ板３０ｃの全体の剛性（強度）がさらに向上する。また、上下のＰＣ板３０ｃどうしの接合部Ｅcの位置が、床スラブ１４よりかなり高い位置になるので、防水性能をさらに向上させることができる。
なお、本実施形態でもＰＣ板３０ｃを非耐力壁として使用しているので、各階のＰＣ板３０ｃは、それぞれのＰＣ板の自重を支持できればよい。ＰＣ板３０ｃの突出部５０，５１，５２と、上の階のＰＣ板３０ｃの枠５３，５４，５５の下端面４５との間の接合部Ｅにおいて、上下階のＰＣ板３０ｃどうしを一体的に接合して、鉛直荷重が伝達する構造とする必要はない。したがって、接合部Ｅは、上下階のＰＣ板３０ｃどうしを分離した接合部としてもよい。
【００２７】
図９は第４の実施形態を示す図で、図４相当の正面断面図である。
図９に示すＰＣ板３０ｄは、互いに接合可能な複数（本実施形態では、５個）のＰＣ板ピース６０〜６４に分割されるとともに、基部を構成するＰＣ板ピース６０〜６４は、それぞれ床スラブ１４の床開口部３４を貫通するようになっている。
ＰＣ板３０ｄが使用される外壁１８は、非耐力壁であり荷重はほとんどかからない。したがって、ＰＣ板ピース６０〜６４どうしは、ＰＣ板ピース６０〜６４に埋め込まれた鉄筋（図示せず）を折り曲げるかまたは鉄筋どうしを溶接することにより接合しても、十分な強度を有することになる。
複数のＰＣ板ピースでコンクリート壁を構成した図１４に示す従来技術と比較すると分かるように、ＰＣ板３０ｄの上方の部位（基部）４４ｄは、縦方向に大きな高さ寸法ｄ3を有しており、前記各実施形態の基部４４，４４ｃに相当する部位である。
したがって、ＰＣ板ピース６０〜６４は、その断面積が大きくなるので剛性が向上するとともに、ＰＣ板ピース６０〜６４どうしの接合部の断面積も大きくなって、この接合部の強度が向上する。
なお、ＰＣ板ピース６１，６３は前記各実施形態の基部４４，４４ｃに相当しており、ＰＣ板ピース６０，６２，６４は、前記各実施形態の基部と枠５３，５４，５５とを有している構成に相当している。
【００２８】
図１０は、第５の実施形態を示す部分平面図である。
建築物の壁１８ｅを構成するＰＣ板３０ｅは、図１０（Ａ）に示すように、平面視でＬ字状を一つまたは複数組み合わせた形状であってもよいが、図１０（Ｂ）に示すように、建築物の壁１８ｆを構成するＰＣ板３０ｆが、平面視でＴ字状をなした場合であってもよい。なお、ＰＣ板は、平面視でＬ字状とＴ字状を任意に組み合わせた形状であってもよい。
Ｌ字状を組み合わせた細長い床開口部３４ｅまたはＴ字状の細長い床開口部３４ｆが、ＰＣ板３０ｅ，３０ｆの形状に対応させて、建築物の床スラブ１４に形成されている。
細長い床開口部３４ｅ，３４ｆを貫通するように、ＰＣ板３０ｅ，３０ｆを挿入して位置決めすることにより、ＰＣ板３０ｅ，３０ｆを使用した壁１８ｅ，１８ｆを、床スラブ１４より優先させた状態で床スラブ１４に設けている。このように、本発明は各種形状の壁に適用することができる。
【００２９】
図１１および図１２は第６の実施形態を示す図で、図１１は図２（Ａ）相当の平面図、図１２は図１１の正面断面図で図４相当図である。
図１１，図１２に示す実施形態では、第１の実施形態の戸境壁１６と枠柱２１を省略し、枠柱２１（図２）の代わりにＰＣ板３０ｇを配置している。
はり間方向の梁１２とＰＣ板３０ｇとの交差部では梁１２を優先するので、ＰＣ板３０ｇは梁１２の上下端で切断して接合される。ＰＣ板３０ｇの上辺は梁１２の断面の下端に、ＰＣ板３０ｇの下辺は梁１２の断面の上端に、それぞれ取り付けられる。ＰＣ板３０ｇは、その横方向の幅（図１２に示す横方向長さＢに相当する）は、梁１２の断面幅に合わせて製作され、その正面形状は縦長の長方形である。
【００３０】
床スラブ１４に形成された床開口部３４の横方向寸法と、ＰＣ板３０，３０の横方向寸法（図１２に示す横方向長さＬに相当する）をほぼ同一にすることができるので、施工現場ではＰＣ板３０，３０を床スラブ１４の上方から、床開口部３４に挿入して落とし込むことができる。桁行方向に連続して配置されて隣接するＰＣ板３０，３０は、ＰＣ板３０ｇを介在して接合されて、外壁１８を構成している。
なお、ＰＣ板３０ｇとＰＣ板３０，３０を一体化して製作してもよいが、この場合には、ＰＣ板３０，３０の横方向寸法はほぼ（Ｌ＋Ｂ）となり、床開口部３４の横方向寸法（図１２に示す横方向長さＬに相当する）より大きくなるので、ＰＣ板３０，３０を床スラブ１４の上方から、床開口部３４に挿入して落とし込むことができなくなる。したがって、ＰＣ板３０，３０を床スラブ１４の下方から横方向に移動して床スラブ１４に取り付ける施工方法となる。
本実施形態では、ＰＣ板３０の横方向の長さ寸法を大きくすることができる。これにより、ＰＣ板３０に形成される壁開口３１，３２，３３を横方向に大きくして大きな窓などを設けることにより、室内空間の開放性をさらに向上させることができる。
【００３１】
上述のように、第１ないし第６の実施形態において、ＰＣ板３０，３０ａ〜３０ｆが床スラブ１４の床開口部３４，３４ｅ，３４ｆを貫通するように挿入されて位置決めされ、外壁１８，壁１８ｅ，１８ｆを、床スラブ１４より優先させた状態で床スラブ１４に設けている。
したがって、ＰＣ板の外周縁３５と壁開口３１，３２，３３との間の基部４４，４４ｃ（または、上方の部位４４ｄ）の高さ寸法ｄ3を大きくすることができる。これにより、ＰＣ板が、図４，図７および図８に示すような一枚物であっても、図９に示すような複数のＰＣ板ピースに分割されたものであっても、ＰＣ板３０，３０ａ〜３０ｆの剛性が向上する。その結果、ＰＣ板３０，３０ａ〜３０ｆの設計，製造，運搬および現場施工が容易になる。
また、ＰＣ板３０，３０ａ〜３０ｆにおいて、床上部分の所定寸法ｄ3aと天井側の床下部分の寸法ｄ3bを、小さくまたはほぼ零にすることができる。これにより、ＰＣ板３０，３０ａ〜３０ｆの壁開口３１，３２，３３に設けられる窓などを縦方向に大きくすることができるので、室内空間の開放性を向上させることができる。
なお、各実施形態におけるＰＣ板の基部４４，４４ｃ，４４ｄは、ＰＣ板の上方に位置している場合を示したが、ＰＣ板の下方に位置している場合であってもよい。
【００３２】
上記した実施形態は、いずれも本発明を集合住宅のバルコニー側の外壁に適用した例であるが、本発明はこれに限定されるものではなく、集合住宅のその他の外壁（たとえば、共用廊下側の外壁）や、居住空間内の間仕切り壁にも適用し得る。壁は、非耐力壁であるのが好ましいが耐力壁であってもよい。
一つの壁面区画３６において、壁面区画３６の横方向を二つの範囲に分割して、本発明によるＰＣ板と従来技術によるＰＣ板とを、二つの範囲にそれぞれ配置し組み合わせて、一つの外壁を構成してもよい。
集合住宅の基準階の平面形式は片廊下方式に限定されず、中央部にボイドを有する筒状方式，センターコアー方式など種々のものでもよい。
本発明では、建物の用途も集合住宅に限定されず、事務所，ホテルなどの用途の建物にも幅広く適用できる。建物の階数も、低層から高層に亘る広範囲に適用することができる。
なお、各図中同一符号は同一または相当部分を示す。
【００３３】
【発明の効果】
本発明は上述のように構成したので、ＰＣ板の設計，製造，運搬および現場施工が容易になり、さらに、ＰＣ板を使用した壁に形成される壁開口を、床スラブの少なくとも近傍まで至るように形成することにより、壁開口に大きな窓などを設けて室内空間の開放性を向上させることができる。
【図面の簡単な説明】
【図１】  図１ないし図６は本発明の第１の実施形態を示す図で、図１は集合住宅の平面図である。
【図２】  図２は図１の部分拡大図で、図２（Ａ）は前記集合住宅の平面図、図２（Ｂ）は、外壁を取付ける前の状態を示す部分平面図である。
【図３】  図２（Ａ）のIII−III線断面図である。
【図４】  図２（Ａ）のIV−IV線正面断面図である。
【図５】  図５（Ａ）は図４のＶ−Ｖ線断面図、図５（Ｂ）〜（Ｄ）は図５（Ａ）相当図で各種変形例を示している。
【図６】  図６（Ａ）は図５相当図で他の変形例を示す断面図、図６（Ｂ）は図６（Ａ）のＢ−Ｂ線断面図である。
【図７】  第２の実施形態を示す図で、図４相当の正面断面図である。
【図８】  第３の実施形態を示す図で、図４相当の正面断面図である。
【図９】  第４の実施形態を示す図で、図４相当の正面断面図である。
【図１０】  第５の実施形態を示す部分平面図である。
【図１１】  第６の実施形態を示す図で、図２（Ａ）相当の平面図である。
【図１２】  図１１の正面断面図で、図４相当図である。
【図１３】  従来技術を示す集合住宅の一部の正面断面図である。
【図１４】  他の従来技術を示す集合住宅の一部の正面断面図で、図１３相当図である。
【符号の説明】
１０            集合住宅（建築物）
１４            床スラブ
１８            外壁（壁）
１８ｅ，１８ｆ  壁
３０，３０ａ〜３０ｆ  ＰＣ板
３１〜３３      壁開口
３４，３４ｅ，３４ｆ  床開口部
３６            壁面区画
３７，３７ａ    貫通孔
３８            鉄筋（継手部材）
４４，４４ｃ    基部
４４ｄ          上方の部位（基部）
４５            下端面
５０〜５２      突出部
５３〜５５      枠
６０〜６４      ＰＣ板ピース
Ｈ              階高
Ｈａ            高さ寸法
【図１】
0004381615.tif 000002
【図２】
0004381615.tif 000003
【図３】
0004381615.tif 000004
【図４】
0004381615.tif 000005
【図５】
0004381615.tif 000006
【図６】
0004381615.tif 000007
【図７】
0004381615.tif 000008
【図８】
0004381615.tif 000009
【図９】
0004381615.tif 000010
【図１０】
0004381615.tif 000011
【図１１】
0004381615.tif 000012
【図１２】
0004381615.tif 000013
【図１３】
0004381615.tif 000014
【図１４】
0004381615.tif 000015